(57)【要約】【課題】  長時間使用可能、バッテリの着脱が使用中にも実行でき、コンピュータとＵＰＳ装置を整合する、使用中着脱可能な機能を有するバッテリ・モジュールを備える改良型無停電交換式電源供給電気回路を提供する。【解決手段】  ＵＰＳ電源供給器をコネクタを介して予備用バッテリのパワーをロードに供給し利用に供させ、そのうち、前記予備用バッテリが着脱可能なバッテリ・ケースによって並列的に接続することによってロードに電源を提供し、使用に供することができる、使用中着脱可能な機能を有するバッテリ・モジュールを備えるようにする。【選択図】図２
2005094953.tif 000002
【特許請求の範囲】
【請求項１】
ＵＰＳ電源供給器をコネクタを介して予備用バッテリのパワーをロードに供給し利用に供させ、そのうち、前記予備用バッテリが着脱可能なバッテリ・ケースによって並列的に接続することによってロードに電源を提供し、使用に供することができることを特徴とする、
使用中着脱可能な機能を有するバッテリ・モジュールを備える改良型無停電交換式電源供給電気回路。
【請求項２】
少なくとも一つの外部コネクタを有し、外部電源供給が異常時に、外部コネクタと内部コネクタとを連結することによって内部コネクタの予備用バッテリの電力を即時にコンピュータの電源として利用できるようにする、電源供給電気回路と、
少なくとも一つの内部コネクタを有し、外部電源供給が異常時に、外部コネクタと内部コネクタとの連結によって内部コネクタの予備用バッテリの電力を即時にロードの電源として利用できるようにし、その一端が予備用バッテリと連結する、ＵＰＳ電源供給電気回路と、
予備用バッテリを有し、予備用バッテリを着脱式バッテリ・ケース内に収納し、電気回路とコンピュータに電源を提供する着脱式バッテリ・ケースと、を備え、
前記電源供給電気回路を外部コネクタを介してＵＰＳ電源供給電気回路の内部コネクタと連接し、市内電力が電源供給電気回路を介してコンピュータの使用に供されるようにし、市内電力の供給が異常する場合、内部コネクタを介してＵＰＳ電源供給電気回路の予備用バッテリを即時にコンピュータの使用に提供し、コンピュータにノーマルにオペレートさせるようにすることを特徴とする、
請求項１に記載の使用中着脱可能な機能を有するバッテリ・モジュールを備える改良型無停電交換式電源供給電気回路。
【請求項３】
前記電源供給電気回路には少なくとも電源を受け取ると共に、電源をろ波後に直流電気に転換して出力し、且つ少なくとも一つの整流電気回路を有する、電圧安定化電気回路と、
ＤＣ  ＴＯ  ＤＣ転換電気回路と、
予備用電源と、
ロード電源スイッチと、
電源信号とロード信号とコンピュータ電源スイッチ信号とリレー・スイッチ信号とを接続し、内部コネクタ同士を相互に接続させ、ＵＰＳ電源供給器が内部コネクタを介して即時に市内電力の供給状態を察知できるようにし、市内電力の供給が異常時に即刻に電源をコンピュータに提供し、コンピュータにノーマルにオペレートさせることを特徴とする、
請求項２に記載の使用中着脱可能な機能を有するバッテリ・モジュールを備える改良型無停電交換式電源供給電気回路。
【請求項４】
前記ＵＰＳ電源供給電気回路には、少なくとも電源供給電気回路の外部コネクタと連接される内部コネクタと、
外部コネクタを介して市内電力の供給がノーマルであるかを検出できると共に、予備用バッテリにてチャージングすることをコントロールできる、ＡＣ検出電気回路と充電電気回路と、
予備用バッテリの電力が充分であるかを検出し、予備用バッテリは電気エネルギーが充満している場合、充電電気回路をスイッチ・オフするバッテリ検出手段と、
着脱式バッテリ・ケース内に取り付けられ、充電電気回路を介して予備用バッテリに対し充電する予備用バッテリと、
モニタリング信号と、
内部コネクタを介して電源供給電気回路と接続し、市内電力の供給に異常がある場合に直ちに電源を電圧安定化電気回路に供給することによってその電圧安定化電気回路にノーマルに作業させる、ＤＣ  ＴＯ  ＤＣ昇圧電気回路と、
電源供給電気回路とＵＰＳ電源供給電気回路と着脱可能なバッテリ・ケースの信号をコントロールするＵＰＳコントロール・システム及び電気回路管理システムとを備え、
市内電力が入力される場合、ＵＰＳ電源供給電気回路がＵＰＳコントロール・システム及び電気回路管理システムを介してＡＣ検出電気回路を起動し、市内電力の供給がノーマルである場合に、バッテリが信号を充電電気回路に送信することによって予備用バッテリを検出して充電に利するようにし、充電終了後に充電電気回路が自動的に電気を切り、予備用バッテリの飽和によるバッテリを傷むことを防止し、ＵＰＳコントロール・システム及びバッテリ管理システムがＡＣ検出電気回路に信号を送信し、当該ＡＣ検出電気回路が内部コネクタを介して電源供給電気回路と接続し、それによって市内電力の供給がノーマルであるかのことを随時に検出し、市内電力の供給が異常を生じる場合に、ＵＰＳ電源供給電気回路が直ちに予備用バッテリの電源をＤＣ  ＴＯ  ＤＣ昇圧電気回路を介して安定な電量を内部コネクタを介して電源供給電気回路に接続し、直ちに電源を供給し、コンピュータにノーマルに作業させることを特徴とする、
請求項２に記載の使用中着脱可能な機能を有するバッテリ・モジュールを備える改良型無停電交換式電源供給電気回路。
【請求項５】
前記着脱式バッテリ・ケースが予備用バッテリを当該着脱式バッテリ・ケース内に収納し、且つ当該着脱式バッテリ・ケースに挿着端子を取り付け、そのうち、前記挿着端子の先端部にコンタクト・ユニットが延出形成され、当該コンタクト・ユニットとＵＰＳ電源供給電気回路の電気回路と接続しあい、且つＵＰＳ電源供給電気回路のＵＰＳコントロールシステム及びバッテリ管理システム信号を介してコンピュータに電源を供給することを特徴とする、
請求項２に記載の使用中着脱可能な機能を有するバッテリ・モジュールを備える改良型無停電交換式電源供給電気回路。
【請求項６】
前記着脱式バッテリ・ケースが配列的に接続する方式によって前記コンピュータに積み重ね配置され、それによって長時間の停電時にコンピュータに所要する電力を提供することを特徴とする、
請求項２に記載の使用中着脱可能な機能を有するバッテリ・モジュールを備える改良型無停電交換式電源供給電気回路。
【請求項７】
前記着脱式バッテリ・ケースには表示灯を取り付けることによって電力状態を表示するようにしてもよく、当該表示灯として発光ダイオードを使用できることを特徴とする、
請求項２に記載の使用中着脱可能な機能を有するバッテリ・モジュールを備える改良型無停電交換式電源供給電気回路。
【請求項８】
前記着脱式バッテリ・ケースに取っ手を取り付け、使用中に着脱操作をする場合にそれを取り出し及び取り付けに利するように設定されることを特徴とする、
請求項２に記載の使用中着脱可能な機能を有するバッテリ・モジュールを備える改良型無停電交換式電源供給電気回路。
【請求項９】
前記着脱式バッテリ・ケースの両側に滑走槽が形成され、それらによって使用中に着脱操作する際に容易に位置決めが行え、且つ順調に取り出すと差し込むことができることを特徴とする、
請求項２に記載の使用中着脱可能な機能を有するバッテリ・モジュールを備える改良型無停電交換式電源供給電気回路。
【請求項１０】
前記着脱式バッテリ・ケースには正負極端子を有し、他の着脱式バッテリ・ケースと並列的に接続でき、長時間停電時にコンピュータが依然としてノーマルに作業できるようにすることを特徴とする、
請求項２に記載の使用中着脱可能な機能を有するバッテリ・モジュールを備える改良型無停電交換式電源供給電気回路。
【発明の詳細な説明】
【技術分野】
【０００１】
本発明は、使用中着脱可能な機能を有するバッテリ・モジュールを備える改良型無停電交換式電源供給電気回路に係わり、特に電源供給電気回路の外部コネクタとＵＰＳ電源供給電気回路の内部コネクタとを連接しあい、ＵＰＳ電源供給電気回路とバッテリ・システムとが離脱可能であり、ＵＰＳ電源供給電気回路が複数セットの並列的接続を実行可能で、ＵＰＳ容量を増加でき、ＵＰＳ電源供給電気回路が故障を生じる場合に、他のＵＰＳ電源供給電気回路が続けて仕事でき、電源システムの信頼性を向上できる、使用中着脱可能な機能を有するバッテリ・モジュールを備える改良型無停電交換式電源供給電気回路に関するものである。
【０００２】
市内電力が入力される場合に、ＵＰＳ電源供給電気回路がＵＰＳコントロール・システム及び電気回路管理システムによってＡＣ検出電気回路を起動し、市内電力の供給がノーマルである場合にバッテリ検出手段が充電電気回路に信号を送信し、予備用バッテリを検出し、充電に利するようにし、充電終了後に、充電電気回路が自動的に電気を切り、バッテリの飽和によるバッテリに対する傷むことを防止し、ＵＰＳコントロール・システム及びバッテリ管理システムがＡＣ検出することより信号を受信し、当該ＡＣ検出電気回路が内部コネクタを介して電源供給電気回路と接続され、市内電力の供給がノーマルであるかのことを随時に検出し、市内電力の供給に異常がある場合、ＵＰＳ電源供給電気回路が即刻に予備用バッテリの電源をＤＣ  ＴＯ  ＤＣ昇圧電気回路を介して安定な電流を内部コネクタを介して電源供給電気回路に送り、直ちに電源を提供することによってコンピュータにノーマルに作業させ、且つ並列的に接続する方式によって複数セットのＵＰＳ電源供給電気回路を連接してもよく、そういう場合には、長時間停電時の使用に供することができる。
【背景技術】
【０００３】
さて、現今の社会では、コンピュータが普及しており、われわれの生活はさらに快速的になり、情報の伝播もさらに迅速的になる。しかしながら、主にコンピュータ設備に電源を供給する市内電力は電気輸送距離が長く、電気輸送ネットワークが複雑的であるので、よく小さな箇所でミスが出るため、給電異常を生じるようになり、例えば、電圧が低すぎたり、高すぎたり、ノイズ、波形の乱れ、周波数変更など、電源品質の安定性に著しく影響し、特に高い安定性が要求されるコンピュータ設備に対し、非予期性の給電異常がよくコンピュータ設備の損害やシャットダウンを招き、ハードウェアの損害を生じるにいたることもあり、そのような場合では、メンテナンス費用は予期できなくなり、またハードウェアの故障はメンテナンスや部材交換などの手段によって解決できるが、保存される情報の損失はお金によって取り戻せないものとなる。
【０００４】
所謂、無停電電源装置（Ｕｎｉｎｔｅｒｒｕｐｔｉｂｌｅ  Ｐｏｗｅｒ  Ｓｙｓｔｅｍ、以下にＵＰＳと称する）がますますコンピュータ設備の欠かせない標準的な設備となっている。目前では、マーケットにおける従来の無停電電源装置はその組立方式は一般にビルド・イン・タイプと、外部接続タイプの二種類に分けられ、ビルド・イン・タイプのＵＰＳはコンピュータのケース内に固着でき、充分に空間を節約できるが、反対に、取替えがしにくく、ＵＰＳに電力を提供するバッテリに故障が生じる場合に、コンピュータ・ケースを取り外して交換しなければならなく、かなり不便であり、他に、外部接続式のＵＰＳが例えば台湾公告第４８３６２６号の示す着脱式ＵＰＳは取り外しとバッテリ交換に利し、しかしながら設備をスイッチオフ後こそ操作可能になり、使用中にＵＰＳ設備とバッテリ・モジュールとを着脱できなく、ユーザーに対しては余分な阻害となっている。
【０００５】
そのため、ビルド・イン・タイプや外部接続タイプのＵＰＳを問わず、バッテリの電力が故障してバッテリを交換する必要があるような場合では、コンピュータ設備の電力供給を切断してバッテリを交換する必要があり、バッテリの更新後に改めてコンピュータ設備を起動できるようになり、これらのことは給電の安定性と品質に大きく影響を与える。
【０００６】
そのため、前記の従来の方式の場合では、依然として多くの課題を有し、好適な設計ではなく、改良される必要があり、本発明の発明者は前記の従来の方式の生じるそれぞれの課題に鑑みて、発明して改良を極め、研究後に、とうとう本発明の使用中に着脱可能な機能を有するバッテリ・モジュールを備える無停電交換式電源供給電気回路を開発した。
【発明の開示】
【発明が解決しようとする課題】
【０００７】
本発明は、コネクタによって複数セットのＵＰＳ電源供給電気回路を並列的に接続し、長時間停電時にコンピュータシステムが依然として作業可能であることを特徴とする、使用中に着脱可能な機能を有するバッテリ・モジュールを備える無停電交換式電源供給電気回路を提供することをその主要な目的とする。
【０００８】
また、本発明は、着脱式バッテリ・ケース同士を一セット以上並列的に接続することによって長時間に停電時にコンピュータが依然として作業できるようにすることを特徴とする、使用中に着脱可能な機能を有するバッテリ・モジュールを備える無停電交換式電源供給電気回路を提供することをその次の目的とする。
【０００９】
また、本発明は、ＵＰＳ電源供給電気回路をコネクタの方式によって即刻に市内電力の給電状況を知ることができ、即時に予備用バッテリの電力を使用可能にする、使用中に着脱可能な機能を有するバッテリ・モジュールを備える無停電交換式電源供給電気回路を提供することをその他の目的とする。
【００１０】
また、使用中に着脱可能な機能を有するように設定することによって、コンピュータをスイッチオフしなくてもバッテリを交換可能な目的を図れる、使用中に着脱可能な機能を有するバッテリ・モジュールを備える無停電交換式電源供給電気回路を提供することをその他の目的とする。
【課題を解決するための手段】
【００１１】
前記のそれぞれの目的を図るために、本発明は、ＵＰＳ電源供給器をコネクタを介して予備用バッテリのパワーをロードに供給し利用に供させ、そのうち、前記予備用バッテリが着脱可能なバッテリ・ケースによって並列的に接続することによってロードに電源を提供し、使用に供することができる、使用中着脱可能な機能を有するバッテリ・モジュールを備える改良型無停電交換式電源供給電気回路を提供する。
【００１２】
本発明の使用中着脱可能な機能を有するバッテリ・モジュールを備える改良型無停電交換式電源供給電気回路は、ＵＰＳ電源供給器をコネクタを介して予備用バッテリのパワーをロードに供給し利用に供させ、そのうち、前記予備用バッテリが着脱可能なバッテリ・ケースによって並列的に接続することによってロードに電源を提供し、使用に供することができることを特徴とする。
【００１３】
また，本発明の使用中着脱可能な機能を有するバッテリ・モジュールを備える改良型無停電交換式電源供給電気回路は、少なくとも一つの外部コネクタを有し、外部電源供給が異常時に、外部コネクタと内部コネクタとを連結することによって内部コネクタの予備用バッテリの電力を即時にコンピュータの電源として利用できるようにする、電源供給電気回路と、少なくとも一つの内部コネクタを有し、外部電源供給が異常時に、外部コネクタと内部コネクタとの連結によって内部コネクタの予備用バッテリの電力を即時にロードの電源として利用できるようにし、その一端が予備用バッテリと連結する、ＵＰＳ電源供給電気回路と、予備用バッテリを有し、予備用バッテリを着脱式バッテリ・ケース内に収納し、電気回路とコンピュータに電源を提供する着脱式バッテリ・ケースと、を備え、前記電源供給電気回路を外部コネクタを介してＵＰＳ電源供給電気回路の内部コネクタと連接し、市内電力が電源供給電気回路を介してコンピュータの使用に供されるようにし、市内電力の供給が異常する場合、内部コネクタを介してＵＰＳ電源供給電気回路の予備用バッテリを即時にコンピュータの使用に提供し、コンピュータにノーマルにオペレートさせるようにすることを特徴とする。
【００１４】
また，本発明の使用中着脱可能な機能を有するバッテリ・モジュールを備える改良型無停電交換式電源供給電気回路は、前記電源供給電気回路には少なくとも電源を受け取ると共に、電源をろ波後に直流電気に転換して出力し、且つ少なくとも一つの整流電気回路を有する、電圧安定化電気回路と、ＤＣ  ＴＯ  ＤＣ転換電気回路と、予備用電源と、ロード電源スイッチと、電源信号とロード信号とコンピュータ電源スイッチ信号とリレー・スイッチ信号とを接続し、内部コネクタ同士を相互に接続させ、ＵＰＳ電源供給器が内部コネクタを介して即時に市内電力の供給状態を察知できるようにし、市内電力の供給が異常時に即刻に電源をコンピュータに提供し、コンピュータにノーマルにオペレートさせることを特徴とする。
【００１５】
また，本発明の使用中着脱可能な機能を有するバッテリ・モジュールを備える改良型無停電交換式電源供給電気回路は、前記ＵＰＳ電源供給電気回路には、少なくとも電源供給電気回路の外部コネクタと連接される内部コネクタと、外部コネクタを介して市内電力の供給がノーマルであるかを検出できると共に、予備用バッテリにてチャージングすることをコントロールできる、ＡＣ検出電気回路と充電電気回路と、予備用バッテリの電力が充分であるかを検出し、予備用バッテリは電気エネルギーが充満している場合、充電電気回路をスイッチ・オフするバッテリ検出手段と、着脱式バッテリ・ケース内に取り付けられ、充電電気回路を介して予備用バッテリに対し充電する予備用バッテリと、モニタリング信号と、内部コネクタを介して電源供給電気回路と接続し、市内電力の供給に異常がある場合に直ちに電源を電圧安定化電気回路に供給することによってその電圧安定化電気回路にノーマルに作業させる、ＤＣ  ＴＯ  ＤＣ昇圧電気回路と、電源供給電気回路とＵＰＳ電源供給電気回路と着脱可能なバッテリ・ケースの信号をコントロールするＵＰＳコントロール・システム及び電気回路管理システムとを備え、市内電力が入力される場合、ＵＰＳ電源供給電気回路がＵＰＳコントロール・システム及び電気回路管理システムを介してＡＣ検出電気回路を起動し、市内電力の供給がノーマルである場合に、バッテリが信号を充電電気回路に送信することによって予備用バッテリを検出して充電に利するようにし、充電終了後に充電電気回路が自動的に電気を切り、予備用バッテリの飽和によるバッテリを傷むことを防止し、ＵＰＳコントロール・システム及びバッテリ管理システムがＡＣ検出電気回路に信号を送信し、当該ＡＣ検出電気回路が内部コネクタを介して電源供給電気回路と接続し、それによって市内電力の供給がノーマルであるかのことを随時に検出し、市内電力の供給が異常を生じる場合に、ＵＰＳ電源供給電気回路が直ちに予備用バッテリの電源をＤＣ  ＴＯ  ＤＣ昇圧電気回路を介して安定な電量を内部コネクタを介して電源供給電気回路に接続し、直ちに電源を供給し、コンピュータにノーマルに作業させることを特徴とする。
【００１６】
また，本発明の使用中着脱可能な機能を有するバッテリ・モジュールを備える改良型無停電交換式電源供給電気回路は、前記着脱式バッテリ・ケースが予備用バッテリを当該着脱式バッテリ・ケース内に収納し、且つ当該着脱式バッテリ・ケースに挿着端子を取り付け、そのうち、前記挿着端子の先端部にコンタクト・ユニットが延出形成され、当該コンタクト・ユニットとＵＰＳ電源供給電気回路の電気回路と接続しあい、且つＵＰＳ電源供給電気回路のＵＰＳコントロールシステム及びバッテリ管理システム信号を介してコンピュータに電源を供給することを特徴とする。
【００１７】
また，本発明の使用中着脱可能な機能を有するバッテリ・モジュールを備える改良型無停電交換式電源供給電気回路は、前記着脱式バッテリ・ケースが配列的に接続する方式によって前記コンピュータに積み重ね配置され、それによって長時間の停電時にコンピュータに所要する電力を提供することを特徴とする。
【００１８】
また，本発明の使用中着脱可能な機能を有するバッテリ・モジュールを備える改良型無停電交換式電源供給電気回路は、前記着脱式バッテリ・ケースには表示灯を取り付けることによって電力状態を表示するようにしてもよく、当該表示灯として発光ダイオードを使用できることを特徴とする。
【００１９】
また，本発明の使用中着脱可能な機能を有するバッテリ・モジュールを備える改良型無停電交換式電源供給電気回路は、前記着脱式バッテリ・ケースに取っ手を取り付け、使用中に着脱操作をする場合にそれを取り出し及び取り付けに利するように設定されることを特徴とする。
【００２０】
また，本発明の使用中着脱可能な機能を有するバッテリ・モジュールを備える改良型無停電交換式電源供給電気回路は、前記着脱式バッテリ・ケースの両側に滑走槽が形成され、それらによって使用中に着脱操作する際に容易に位置決めが行え、且つ順調に取り出すと差し込むことができることを特徴とする。
【００２１】
また，本発明の使用中着脱可能な機能を有するバッテリ・モジュールを備える改良型無停電交換式電源供給電気回路は、前記着脱式バッテリ・ケースには正負極端子を有し、他の着脱式バッテリ・ケースと並列的に接続でき、長時間停電時にコンピュータが依然としてノーマルに作業できるようにすることを特徴とする。
【発明の効果】
【００２２】
本発明によると、使用中にバッテリを着脱交換でき、且つ長時間に使用可能な使用中着脱可能な機能を有するバッテリ・モジュールを備える改良型無停電交換式電源供給電気回路を提供できる。
【発明を実施するための最良の形態】
【００２３】
図１は本発明の使用中着脱可能な機能を有するバッテリ・モジュールを備える改良型無停電交換式電源供給電気回路であり、そのうち、当該電源供給電気回路Bには、少なくとも整流電気回路８２を有し、電源を受け取り、電源をろ波後に、直流電気に転換して出力する電圧安定化電気回路８１と、ＤＣ  ＴＯ  ＤＣ転換電気回路８４と、外部電源８３と、予備用電源８５と、コンピュータ電源スイッチ８６と、それぞれ電源信号とロード信号とコンピュータ電源スイッチ信号とリレースイッチ信号とを接続し、且つＵＰＳ電源供給電気回路Aの内部コネクタ１と連接され、ＵＰＳ電源供給電気回路Aが内部コネクタ１を介して即時に市内電力の状況をモニタリングでき、市内電力の給電に異常がある場合に直ちに電源をコンピュータに供給し、コンピュータにノーマルに作業させるようにした、外部コネクタ１１とを備える。
【００２４】
図２に示すのは他の種の使用中着脱可能な機能を有するバッテリ・モジュールを備える改良型無停電交換式電源供給電気回路であり、そのうち、当該ＵＰＳ電源供給電気回路Aには、少なくとも電源供給電気回路Bの外部コネクタ１１と連接される内部コネクタ１と、外部コネクタ１１を介して市内電力の供給がノーマルであるか、且つ予備用バッテリ７に対し充電をするかのことを検出するためのＡＣ検出電気回路及び充電電気回路２と、予備用バッテリ７の電力が充分であるかのことを検出でき、予備用バッテリ７に電量を充満する場合にＡＣ検出および充電電気回路２の充電電気回路をスイッチオフする、バッテリ検出手段５と、着脱式バッテリケース７Ａ内に取り付けられ、ＡＣ検出及び充電電気回路２を介して対し充電をする予備用バッテリ７と、コントロール信号を表示するモニタリング信号６と、内部コネクタ１を介して電源供給電気回路Bの外部コネクタ１１と接続され、市内電力に異常が生じる場合に直ちに電源を電圧安定化電気回路８１に供給し、電圧安定化電気回路８１にノーマルに作業させるようにした、ＤＣ  ＴＯ  ＤＣ昇圧電気回路３と、電源供給電気回路ＢとＵＰＳ電源供給電気回路Aと着脱式バッテリ・ケース７Ａの信号をコントロールするＵＰＳコントロール・システム及び電気回路管理システム４とを備える。
【００２５】
市内電力が入力される場合に、ＵＰＳ電源供給電気回路AがＵＰＳコントロール・システム及び電気回路管理システム４を介してＡＣ検出及び充電電気回路２を起動し、市内電力の給電がノーマルである場合にバッテリ検出手段５がＡＣ検出及び充電電気回路２に信号を送信し、予備用バッテリ７を検出し、充電に利するようにし、充電終了後に、ＡＣ検出及び充電電気回路２が自動的に充電電気回路の機能を切断して予備用バッテリ７が飽和になって予備用バッテリ７が傷むことを防止する。ＵＰＳコントロール・システム及びバッテリ管理システム４がＡＣ検出電気回路と充電電気回路２に信号を送信し、当該ＡＣ検出及び充電電気回路２が内部コネクタ１を介して電源供給電気回路の外部コネクタ１１と連接し、随時に市内電力の供給がノーマルであるかのことを検出し、市内電力の供給に異常がある場合に、ＵＰＳ電源供給電気回路Ａが直ちに予備用バッテリ７の電源をＤＣ  ＴＯ  ＤＣ昇圧電気回路３を介して安定した電流を内部コネクタ１を介して電源供給電気回路Ｂに供給し、即刻にコンピュータにノーマルに作業させられるようにする。
【００２６】
図３は他の種の使用中着脱可能な機能を有するバッテリ・モジュールを備える改良型無停電交換式電源供給電気回路であり、そのうち、前記着脱式バッテリ・ケース７Ａが予備用バッテリ７をその内部に収納し、且つ着脱式バッテリ・ケース７Ａに挿着端子を設け、そのうち、前記挿着端子の前端部にコンタクト・ユニットが延出形成され、当該コンタクト・ユニットとＵＰＳ電源供給電気回路Aと接続され、且つＵＰＳ電源供給電気回路AのＵＰＳコントロール・システム及びバッテリ管理システム４の信号をコンピュータ電源に提供する。そのうち、前記着脱式バッテリ・ケース７Ａに取っ手を設けてもよく、使用中に着脱操作時に、取り出しと取り付けに利し、他に、着脱式バッテリ・ケース７Ａの両側に滑走槽を設けてもよく、使用中着脱操作時に容易に位置決められるようにすると共に、容易に取り付けられるようにする。
【００２７】
図４と図５に示すのは、他の種の使用中着脱可能な機能を有するバッテリ・モジュールを備える改良型無停電交換式電源供給電気回路であり、そのうち、コンピュータ9の電源供給電気回路Bが外部コネクタ１１を介して１セットまたは１セット以上のＵＰＳ電源供給電気回路Aの内部コネクタ１と相互に接続し、且つ並列的に接続する方式によって長時間に停電しても依然としてノーマルに操作できる目的をはかり、他に、コンピュータ9をスイッチオフしなくても着脱の方式によってＵＰＳ電源供給電気回路Aを取り出し、または取り付けることができ、コンピュータ9がスイッチオフしなくても予備用バッテリ7を交換できるようにする。
【産業上の利用可能性】
【００２８】
本発明は、使用中着脱可能な機能を有するバッテリ・モジュールを備える改良型無停電交換式電源供給電気回路であり、下記のような優れる点を有する：
１．本発明は、コネクタを介してＵＰＳ電源供給電気回路と電源供給電気回路とを接続すると共に、ＡＣ検出及び充電電気回路を利用して市内電力の異常状況を検出する場合に直ちに予備用バッテリに電力を供給できる。
２．本発明は、コネクタを介して電源供給電気回路と１セット以上のＵＰＳ電源供給電気回路と接続し、長時間に停電しても依然としてコンピュータに作業させることができる目的を図れる。
３．本発明は、並列的に接続する方式によってＵＰＳ電源供給電気回路を１セット以上の予備用バッテリと並列的に接続すると共に、着脱式バッテリ・ケースの電気コードを介して直列的接続／並列的接続の方式によって電気使用時間を延長することができる。
４．本発明を並列的接続の方式を採用するので、スイッチオフしなくてもＵＰＳ電源供給電気回路と着脱式バッテリ・ケースの取り出しと取り付けを実行できる。
【００２９】
前記に詳細に説明したのは、本発明の実施可能な具体的な実施例に過ぎなく、本発明の実施はそれらのみに制限するものではなく、本発明の請求項の要旨に基づいて実施される相同効果の実施や変更などが、すべて本発明の請求範囲内に納入されるべきである。
【００３０】
前記に説明したように、本発明は技術思想が新しく、既に新規性と進歩性の法定の特許要件を満たすものである。
【図面の簡単な説明】
【００３１】
【図１】本発明の電源供給電気回路を示すブロック図である。
【図２】本発明のＵＰＳ電源供給電気回路を示すブロック図である。
【図３】本発明の着脱式バッテリ・ケースを示す説明図である。
【図４】本発明の第一種の実施の形態を示す説明図である。
【図５】本発明の第二種の実施の形態を示す説明図である。
【符号の説明】
【００３２】
Ａ      ＵＰＳ電源供給電気回路
Ｂ      電源供給電気回路
１      内部コネクタ
１１    外部コネクタ
２      ＡＣ検出電気回路と充電電気回路
３      ＤＣ  ＴＯ  ＤＣ昇圧電気回路
４      ＵＰＳコントロール・システム及び電気回路管理システム
５      バッテリ検出手段
６      モニタリング信号
７      予備用バッテリ
７Ａ    着脱式バッテリ・ケース
７１    ＵＰＳ状態表示
８１    電圧安定化電気回路
８２    整流電気回路
８３    外部電源
８４    ＤＣ  ＴＯ  ＤＣ転換回路
８５    予備用電源
８６    コンピュータ電源スイッチ
9       コンピュータ
【図１】
2005094953.tif 000003
【図２】
2005094953.tif 000004
【図３】
2005094953.tif 000005
【図４】
2005094953.tif 000006
【図５】
2005094953.tif 000007